(57)【要約】【課題】  デジタル放送をＶＲフォーマットで蓄積し、これを伝送する場合に、もともとデジタル放送が有していた著作権保護情報の一部を伝送できない。【解決手段】  伝送システム１は、サーバ装置１００において、著作権保護情報を、蓄積形態で未定義な領域、あるいは蓄積形態でのみ意味のある領域に格納して送信し、ＴＶ２００、記録装置３００などにおいて、これを受信する。このとき、ＶＲフォーマットでは、ＲＤＩパックに著作権情報を保存しており、この末尾にＲＤＩパックを記録する場合にのみ使用するＶｅｒｉｆｉｃａｔｉｏｎフィールドがある。この領域を用いて今まで伝送できなかった著作権保護情報を伝送する。【選択図】  図１
2007028166.tif 000002
【特許請求の範囲】
【請求項１】
著作権保護情報を、蓄積形態で未定義な領域、あるいは蓄積形態でのみ意味のある領域に格納して送信およびこれを受信することを特徴とする伝送装置。
【請求項２】
対象となる情報から著作権保護のための情報を求める著作権保護情報生成部と、
前記生成した著作権保護情報を、蓄積形態で未定義な領域、あるいは蓄積形態でのみ意味のある領域に格納する著作権保護情報格納部と、
前記著作権保護情報を含んだ対象情報を伝送する送信部と
を備えることを特徴とする伝送装置。
【請求項３】
前記著作権保護情報格納部は、前記著作権保護情報を、ＶＲフォーマットのＲＤＩパックにおける未定義な領域、あるいは蓄積形態でのみ意味のある領域に格納する
ことを特徴とする請求項２に記載の伝送装置。
【請求項４】
前記著作権保護情報格納部は、前記著作権保護情報を、ＶＲフォーマットのＲＤＩパックにおける未定義な値に定義する
ことを特徴とする請求項２に記載の伝送装置。
【請求項５】
蓄積形態で未定義な領域、あるいは蓄積形態でのみ意味のある領域に著作権保護情報を含んだ対象情報を受信する受信部と、
前記領域から著作権保護情報を取り出す著作権保護情報取得部と、
前記取り出した著作権保護情報に従って、前記対象情報を処理する処理部と
を備えることを特徴とする伝送装置。
【請求項６】
前記著作権保護情報取得部は、前記著作権保護情報を、ＶＲフォーマットのＲＤＩパックにおける未定義な領域、あるいは蓄積形態でのみ意味のある領域から取り出す
ことを特徴とする請求項５に記載の伝送装置。
【請求項７】
前記著作権保護情報取得部は、ＶＲフォーマットのＲＤＩパックにおける未定義な値に定義されている前記著作権保護情報を解釈して取得する
ことを特徴とする請求項５に記載の伝送装置。
【請求項８】
前記処理部は、前記取り出した著作権保護情報が蓄積を許可する場合に、伝送時に前記著作権保護情報が格納されていた領域を、蓄積形態で定められている値に設定しなおしてから蓄積する
ことを特徴とする請求項５に記載の伝送装置。
【請求項９】
前記蓄積形態でのみ意味のある領域として、ＲＤＩパックのＶｅｒｉｆｉｃａｔｉｏｎ領域を用いる
ことを特徴とする請求項３または６に記載の伝送装置。
【請求項１０】
前記著作権保護情報は、ＤＴＣＰ  Ｄｅｓｃｒｉｐｔｏｒのフォーマットで所定の場所に格納して伝送される
ことを特徴とする請求項３または６に記載の伝送装置。
【請求項１１】
前記著作権保護情報は、ＤＴＣＰ  Ｄｅｓｃｒｉｐｔｏｒに存在して、ＲＤＩパックには存在しない情報を所定の場所に格納して伝送される
ことを特徴とする請求項３または６に記載の伝送装置。
【請求項１２】
対象となる情報を所定の伝送形態にして送信する伝送装置とこれを受信する伝送装置からなる伝送システムであって、
前記送信する伝送装置は、
著作権保護のための情報を求める著作権保護情報生成手段と、
前記生成した著作権保護情報を、蓄積形態で未定義な領域、あるいは蓄積形態でのみ意味のある領域に格納する著作権保護情報格納手段と、
前記著作権保護情報を含んだ対象情報を伝送する送信手段と
を備え、
前記受信する伝送装置は、
蓄積形態で未定義な領域、あるいは蓄積形態でのみ意味のある領域に著作権保護情報を含んだ対象情報を受信する受信手段と、
前記領域から著作権保護情報を取り出す著作権保護情報取得手段と、
前記取り出した著作権保護情報に従って、前記対象情報を処理する処理手段と
を備えることを特徴とする伝送システム。
【請求項１３】
対象となる情報を所定の伝送形態にして、送信する伝送装置から受信する伝送装置に伝送方法であって、
前記送信する伝送装置において、
著作権保護のための情報を求める著作権保護情報生成ステップと、
前記生成した著作権保護情報を、蓄積形態で未定義な領域、あるいは蓄積形態でのみ意味のある領域に格納する著作権保護情報格納ステップと、
前記著作権保護情報を含んだ対象情報を伝送する送信ステップと
を含み、
前記受信する伝送装置において、
蓄積形態で未定義な領域、あるいは蓄積形態でのみ意味のある領域に著作権保護情報を含んだ対象情報を受信する受信ステップと、
前記領域から著作権保護情報を取り出す著作権保護情報取得ステップと、
前記取り出した著作権保護情報に従って、前記対象情報を処理する処理ステップと
を含むことを特徴とする伝送方法。
【請求項１４】
著作権保護情報を送信する伝送装置で用いられるコンピュータプログラムであって、
伝送装置対象となる情報から著作権保護のための情報を求める著作権保護情報生成ステップと、
前記生成した著作権保護情報を、蓄積形態で未定義な領域、あるいは蓄積形態でのみ意味のある領域に格納する著作権保護情報格納ステップと、
前記著作権保護情報を含んだ対象情報を伝送する送信ステップと
をコンピュータシステムに実行させることを特徴とするコンピュータプログラム。
【請求項１５】
著作権保護情報を受信する伝送装置で用いられるコンピュータプログラムであって、
蓄積形態で未定義な領域、あるいは蓄積形態でのみ意味のある領域に著作権保護情報を含んだ対象情報を受信する受信ステップと、
前記領域から著作権保護情報を取り出す著作権保護情報取得ステップと、
前記取り出した著作権保護情報に従って、前記対象情報を処理する処理ステップと
をコンピュータシステムに実行させることを特徴とするコンピュータプログラム。
【請求項１６】
著作権保護情報を送信する伝送装置で用いられるコンピュータプログラムを記録したコンピュータ読み取り可能な記録媒体であって、
伝送装置対象となる情報から著作権保護のための情報を求める著作権保護情報生成ステップと、
前記生成した著作権保護情報を、蓄積形態で未定義な領域、あるいは蓄積形態でのみ意味のある領域に格納する著作権保護情報格納ステップと、
前記著作権保護情報を含んだ対象情報を伝送する送信ステップと
をコンピュータシステムに実行させるコンピュータプログラムを記録したことを特徴とするコンピュータ読み取り可能な記録媒体。
【請求項１７】
著作権保護情報を受信する伝送装置で用いられるコンピュータプログラムを記録したコンピュータ読み取り可能な記録媒体であって、
蓄積形態で未定義な領域、あるいは蓄積形態でのみ意味のある領域に著作権保護情報を含んだ対象情報を受信する受信ステップと、
前記領域から著作権保護情報を取り出す著作権保護情報取得ステップと、
前記取り出した著作権保護情報に従って、前記対象情報を処理する処理ステップと
をコンピュータシステムに実行させるコンピュータプログラムを記録したことを特徴とするコンピュータ読み取り可能な記録媒体。
【請求項１８】
著作権保護情報を送信する伝送装置で用いられる集積回路であって、
伝送装置対象となる情報から著作権保護のための情報を求める著作権保護情報生成手段と、
前記生成した著作権保護情報を、蓄積形態で未定義な領域、あるいは蓄積形態でのみ意味のある領域に格納する著作権保護情報格納手段と、
前記著作権保護情報を含んだ対象情報を伝送する送信手段と
を備えることを特徴とする集積回路。
【請求項１９】
著作権保護情報を受信する伝送装置で用いられる集積回路であって、
蓄積形態で未定義な領域、あるいは蓄積形態でのみ意味のある領域に著作権保護情報を含んだ対象情報を受信する受信手段と、
前記領域から著作権保護情報を取り出す著作権保護情報取得手段と、
前記取り出した著作権保護情報に従って、前記対象情報を処理する処理手段と
を備えることを特徴とする集積回路。
【発明の詳細な説明】
【技術分野】
【０００１】
本発明は、ＶＲフォーマットのコンテンツ情報を伝送する際の伝送フォーマットに関連する。
【背景技術】
【０００２】
近年、他の機器がデジタルチューナで受信したり蓄積しているデジタルコンテンツを、伝送路上の別の機器で視聴したり、記録したりするシステムについて取り組みがなされている。例えば、Ｄｉｇｉｔａｌ  Ｌｉｖｉｎｇ  Ｎｅｔｗｏｒｋ  Ａｌｌｉａｎｃｅ（ＤＬＮＡ）では、ホームネットワーク上の各機器間の伝送プロトコルや互換メディアフォーマットを策定する活動を推進している。デジタルコンテンツを伝送路上に送信する場合、そのコンテンツの所有者（コンテンツオーナ）が賦与した著作権情報に従い、著作権を保護しつつ伝送を行う必要がある。このための伝送規格としてＤＴＣＰ規格（例えば、非特許文献２参照。）が定義されている。
【０００３】
デジタルコンテンツの一つであるＤＶＤコンテンツの記録フォーマットはＶＲ規格で定められている（例えば、非特許文献１参照。）。ＶＲ規格では、コンテンツの著作権保護情報を、ＶＯＢＵ（Ｖｉｄｅｏ  ＯＢｊｅｃｔ  Ｕｎｉｔ）の先頭に配したＲＤＩパック（Ｒｅａｄ−ｔｉｍｅ  Ｄａｔａ  Ｉｎｆｏｒｍａｔｉｏｎ  ｐａｃｋ）に格納している。このため、蓄積されたコンテンツを伝送する場合は、このＲＤＩパックを用いたフォーマットでそのまま伝送するのが実装容易である。
【０００４】
一方、デジタル放送コンテンツは、ＶＲ規格とは異なるメディアフォーマット（例えばＭＰＥＧ２−ＴＳなど。）で送信され、著作権情報が含む場合はＶＲ規格とは異なる方法で埋め込まれる。互換性維持等の理由により、デジタルチューナで受信したデジタル放送をＶＲフォーマットに変換して、伝送する場合がある。
【０００５】
なお、特許文献１には、コンテンツの著作権保護制御の方法が書かれている。また、特許文献２には、オーディオコンテンツの著作権情報を格納する方法が書かれている。
【非特許文献１】ＤＶＤ  Ｓｐｅｃｉｆｉｃａｔｉｏｎｓ  ｆｏｒ  ＤＶＤ−ＲＡＭ／ＤＶＤ−ＲＷ／ＤＶＤ−Ｒ  ｆｏｒ  Ｇｅｎｅｒａｌ  Ｄｉｓｃｓ  Ｐａｒｔ  ３  Ｖｉｄｅｏ  Ｒｅｃｏｒｄｉｎｇ，  ＤＶＤ  Ｆｏｒｕｍ，  Ｖｅｒｓｉｏｎ  １．１，  Ｍａｙ  ２００１．
【非特許文献２】Ｄｉｇｉｔａｌ  Ｔｒａｎｓｍｉｓｓｉｏｎ  Ｃｏｎｔｅｎｔ  Ｐｒｏｔｅｃｔｉｏｎ  Ｓｐｅｃｉｆｉｃａｔｉｏｎ  Ｖｏｌｕｍｅ  １  （Ｉｎｆｏｒｍａｔｉｏｎａｌ  Ｖｅｒｓｉｏｎ），  Ｈｉｔａｃｈｉ，  Ｌｔｄ，  Ｉｎｔｅｌ  Ｃｏｒｐｏｒａｔｉｏｎ，  Ｍａｔｓｕｓｈｉｔａ  Ｅｌｅｃｔｒｉｃ  Ｉｎｄｕｓｔｒｉａｌ  Ｃｏ．，  Ｌｔｄ．，  Ｓｏｎｙ  Ｃｏｒｐｏｒａｔｉｏｎ，  Ｔｏｓｈｉｂａ  Ｃｏｒｐｏｒａｔｉｏｎ，  Ｒｅｖｉｓｉｏｎ  １．４，  Ｆｅｂｒｕａｒｙ  ２８，  ２００５．
【特許文献１】特開２００２−２７９７２７号公報
【特許文献２】特開２００２−３５８７３２号公報
【発明の開示】
【発明が解決しようとする課題】
【０００６】
しかしながら、デジタル放送コンテンツの著作権保護情報を、ＲＤＩパックを用いて伝送する場合、上記ＲＤＩパックのフォーマットでは不十分である。例えば、ＲＤＩパックのフォーマットには、デジタル放送コンテンツの著作権情報として含まれる一時停止（ポーズ）の機能のためのＲｅｔｅｎｔｉｏｎの情報がない。また、ＲＤＩパックでは、Ｃｏｐｙ−ｎｅｖｅｒやＣｏｐｙ−ｏｎｅ−ｇｅｎｅｒａｔｉｏｎといったコピー制御情報も伝送できない。
【０００７】
そこで、本発明では、ＲＤＩパックを最小限に拡張することにより、デジタル放送コンテンツの著作権保護情報を収容できる伝送装置および伝送方法を提供することを目的とする。
【課題を解決するための手段】
【０００８】
上記の目的を達成するために、本発明に係わる伝送装置は、著作権保護情報を、蓄積形態で未定義な領域、あるいは蓄積形態でのみ意味のある領域に格納して送信およびこれを受信することを特徴とする。
【０００９】
この構成によると、伝送路では使用されず、また受信側で再度記録する場合に上書きされる領域を用いて、著作権情報を伝送することで、蓄積コンテンツとデジタル放送コンテンツの両方の著作権情報をもれなく伝送できる。また受信側も、コンテンツがもともと蓄積コンテンツなのかデジタル放送コンテンツなのかを区別して処理を変える必要がないため、実装が容易である。
【００１０】
ここで、（ａ）対象となる情報から著作権保護のための情報を求める著作権保護情報生成部と、（ｂ）前記生成した著作権保護情報を、蓄積形態で未定義な領域、あるいは蓄積形態でのみ意味のある領域に格納する著作権保護情報格納部と、（ｃ）前記著作権保護情報を含んだ対象情報を伝送する送信部とを備えることを特徴としてもよい。この構成によると送信側は所定の位置に著作権保護情報を配して伝送することができる。実装も容易である。
【００１１】
ここで、前記著作権保護情報格納部は、前記著作権保護情報を、ＶＲフォーマットのＲＤＩパックにおける未定義な領域、あるいは蓄積形態でのみ意味のある領域に格納する
ことを特徴としてもよい。この構成によると送信側は蓄積コンテンツを伝送する際に、他のＲＤＩパック情報はそのままに格納し、加えて所定の位置に所定の固定の著作権保護情報を設定するだけでよいため、処理負荷が小さい。
【００１２】
ここで、前記著作権保護情報格納部は、前記著作権保護情報を、ＶＲフォーマットのＲＤＩパックにおける未定義な値に定義することを特徴としてもよい。この構成によると送信側はデジタル放送コンテンツを伝送する場合に、その著作権保護情報を、ＲＤＩパックの未定義な値に意味づけることで、新たな領域を設定する必要がない。
【００１３】
ここで、（ａ）蓄積形態で未定義な領域、あるいは蓄積形態でのみ意味のある領域に著作権保護情報を含んだ対象情報を受信する受信部と、（ｂ）前記領域から著作権保護情報を取り出す著作権保護情報取得部と、（ｃ）前記取り出した著作権保護情報に従って、前記対象情報を処理する処理部とを備えることを特徴としてもよい。この構成によると受信側は所定の位置から著作権保護情報を取得して、対応する処理をすればよい。もともとの情報が蓄積コンテンツである場合と、デジタル放送コンテンツである場合を区別して動作する必要がなく、実装が容易である。
【００１４】
ここで、前記処理部は、前記取り出した著作権保護情報が蓄積を許可する場合に、伝送時に前記著作権保護情報が格納されていた領域を、蓄積形態で定められている値に設定しなおしてから蓄積することを特徴としてもよい。この構成によると受信側は著作権保護情報を取得したあと、これを記録する場合に、この領域に蓄積形態で定められている値を再計算して上書きする。このことにより、処理負荷が小さくてすむ。
【００１５】
ここで、前記蓄積形態でのみ意味のある領域として、ＲＤＩパックのＶｅｒｉｆｉｃａｔｉｏｎ領域を用いることを特徴としてもよい。ＲＤＩパックのＶｅｒｉｆｉｃａｔｉｏｎ領域は、蓄積形態では情報の完全性を確認するために必要であるが、伝送時には意味がない領域である。これを用いることにより、もともとのＲＤＩパックの定義を最小限に拡張し、実装も容易である。
【００１６】
ここで、前記著作権保護情報は、ＤＴＣＰ  Ｄｅｓｃｒｉｐｔｏｒのフォーマットで所定の場所に格納して伝送されることを特徴としてもよい。著作権保護情報を、ＤＴＣＰ  Ｄｅｓｃｒｉｐｔｏｒのフォーマットで伝送することにより、デジタル放送の著作権保護情報をもれなく収容することができる（ＤＴＣＰ  Ｄｅｓｃｉｐｔｏｒについては、例えば非特許文献２を参照。）。
【００１７】
ここで、前記著作権保護情報は、ＤＴＣＰ  Ｄｅｓｃｒｉｐｔｏｒに存在して、ＲＤＩパックには存在しない情報を所定の場所に格納して伝送されることを特徴としてもよい。これにより、受信側での、ＲＤＩパックとＤＴＣＰ  Ｄｅｓｃｒｉｐｔｏｒで重なっている情報の整合性確認が不要となる。
【発明の効果】
【００１８】
本発明の伝送装置および伝送方法によると、伝送路では使用されず、また受信側で再度記録する場合に上書きされる領域を用いて、著作権情報を伝送することで、蓄積コンテンツとデジタル放送コンテンツの両方の著作権情報をもれなく伝送できる。また受信側も、コンテンツがもともと蓄積コンテンツなのかデジタル放送コンテンツなのかを区別して処理を変える必要がないため、実装が容易である。
【発明を実施するための最良の形態】
【００１９】
本発明の第１の実施の形態としての伝送システム１について説明する。図１で示すとおり、伝送システム１はチューナ付きサーバ装置１００とＴＶ２００、記録装置３００からなる。チューナ付きサーバ装置には、デジタル放送コンテンツと、ＤＶＤディスクあるいはハードディスク等（以下、これらをまとめてＤｉｓｃと総称）にあらかじめ記録された蓄積コンテンツの両方もしくは片方が入力される。伝送システムでは、これらのコンテンツをサーバ装置から伝送路に伝送し、ＴＶで視聴したり記録装置で記録したりする。なお、特に限定はしないが、伝送路はＩＰ通信を想定している。
【００２０】
１．チューナ付きサーバ装置
チューナ付きサーバ装置は、図２で示すとおり、チューナ１０１、ＶＲ変換部１０２、著作権保護情報生成部１０３、著作権保護情報格納部１０４、送信部１０５からなる。デジタル放送より入力されたコンテンツは、チューナを介して受信され、ＶＲ変換部で、コードをＭＰＥＧ２−ＴＳフォーマットからＶＲフォーマットに変換する。一方、Ｄｉｓｃから入力されたコンテンツはもとからＶＲフォーマットである。図３はＶＲフォーマットを示している。ＶＲフォーマットでは各コンテンツは、一つ以上のＶＯＢＵから構成されている。各ＶＯＢＵの先頭にはＲＤＩパックと呼ばれる著作権保護情報を含む各種制御情報を含む領域がある。さらに、ＶＯＢＵはＲＤＩパック以外にこれに引き続き複数のパックで構成される。ＲＤＩパック以外のこれらのパックにはコンテンツの映像や音声の情報を含むＶパック（映像）やＡパック（音声）がある。
【００２１】
一方、デジタル放送から入力された情報には、このＶＲフォーマットには収容しきれない情報が入っている。これを著作権保護情報生成部１０３で抽出する。それは例えば、Ｒｅｔｅｎｔｉｏｎ機能に関連する情報である。また本来ＶＲフォーマットは、ＣＣＩ情報として、Ｃｏｐｙ−ｆｒｅｅ，  Ｎｏ−ｍｏｒｅ−ｃｏｐｉｅｓしか定義（ＣＧＭＳとして２ビットアサインし、００，１１のみ定義）されていないが、デジタル放送からのコンテンツには、Ｃｏｐｙ−ｎｅｖｅｒ，Ｃｏｐｙ−ｏｎｅ−ｇｅｎｅｒａｔｉｏｎの情報がありこれを定義する必要がある。
【００２２】
著作権保護情報格納部１０４では、抽出した著作権保護情報を、所定の形態で上記本来のＶＲフォーマットでは未定義な領域、あるいは蓄積形態でのみ意味のある領域に格納する。ここで所定の形態とは、例えばＣＣＩ情報を含むＤＴＣＰ  Ｄｅｓｃｒｉｐｔｏｒの形態であってもよいし、ＣＣＩ情報以外の情報だけを所定のフォーマットで配置してもよい。
【００２３】
ＲＤＩパックには、その末尾にＲｅｓｅｒｖｅｄ  ｆｏｒ  Ｃｏｎｔｅｎｔ  Ｐｒｏｔｅｃｔｉｏｎフィールドがあり、ＶＯＢＵのＶｅｒｉｆｉｃａｔｉｏｎ情報が格納されている。（以下、このフィールドをＶｅｒｉｆｉｃａｔｉｏｎフィールドと呼ぶ）。本実施の形態では、図４に示すとおり、ＤＴＣＰ  Ｄｅｓｃｒｉｐｔｏｒの形態で、ＲＤＩパックのＶｅｒｉｆｉｃａｔｉｏｎフィールドに追加のＣＣＩとして蓄積する。Ｖｅｒｉｆｉｃａｔｉｏｎフィールドは、蓄積形態ではその他の情報の完全性を確認するための情報を格納している。ただ、これは蓄積形態のみで意味のある情報であり伝送する場合には不要であり、また記録装置３００でコンテンツを蓄積する場合は、再計算されて上書きされる。
【００２４】
また、抽出した著作権情報は、リザーブの領域に入れてもよい。また、上記ＣＣＩ情報として、ＣＧＭＳとして０１，１０を追加で定義してもよい。なお、蓄積コンテンツでは、ＣＣＩ情報以外の追加ＣＣＩ情報は固定値とすることができる。例えば、先に述べたＲｅｔｅｎｔｉｏｎ情報では、必ずＯＦＦとなる。そのため、ここでの著作権保護情報格納の負荷は小さく、実装上問題はない。最後にこの情報を送信部１０５から伝送路に送信する。
【００２５】
２．ＴＶ
ＴＶ２００は図５に示すとおり、受信部２０１、著作権保護情報取得部２０２、表示部２０３からなる。受信部は、上記伝送上の情報（図４のフォーマット）を受信する。そして著作権保護情報取得部では、このＶｅｒｉｆｉｃａｔｉｏｎフィールドから追加ＣＣＩ情報を取得する。この結果、許可されればこの情報をデコードしてＴＶに表示する。この場合表示部では、Ｖｅｒｉｆｉｃａｔｉｏｎ部は用いないため、誤動作はしない。
【００２６】
３．記録装置
記録装置３００は図６に示すとおり、受信部３０１、著作権保護情報取得部３０２、記録部３０３からなる。受信部は、上記伝送上の情報（図４のフォーマット）を受信する。そして著作権保護情報取得部では、このＶｅｒｉｆｉｃａｔｉｏｎフィールドから追加ＣＣＩ情報を取得する。もし、Ｖｅｒｉｆｉｃａｔｉｏｎ領域にＣＣＩ情報も含まれている場合は、別途ＣＧＭＳ領域に格納されているＣＣＩ情報と値が一致しているかを確認する。もし一致していれば、その値を用い、また一致していない場合は、あらかじめ定められたルールに従っていずれかを選択する。そしてＣＣＩ情報が記録装置での記録を許可していれば、記録部３０４で情報を記録する。なお、記録時には、Ｖｅｒｉｆｉｃａｔｉｏｎフィールドを蓄積形態で定められたルールに従って計算しなおして上書きをし、記録する。
【００２７】
４．その他の変形例
なお、本発明を上記の実施の形態に基づいて説明してきたが、本発明は、上記の実施の形態に限定されないのはもちろんである。以下のような場合も本発明に含まれる。
【００２８】
（１）追加ＣＣＩの格納場所は、Ｖｅｒｉｆｉｃａｔｉｏｎフィールドのいずれの部分であってもよい。また、ＲＤＩパックのリザーブの領域であってもよい。
【００２９】
（２）放送コンテンツと蓄積コンテンツは、ＡｕｄｉｏのみコンテンツであってもＡｕｄｉｏ  Ｖｉｓｕａｌコンテンツであってもよい。
【００３０】
（３）伝送システム１は、チューナ付きサーバ、ＴＶ、記録装置の３つからなっていたが、この形態にはこだわらない。サーバは、チューナとサーバに分かれていてもよい。また、伝送路も有線あるいは無線であってもよい。モバイル装置が含まれていてもよい。
【００３１】
（４）デジタル放送のＭＰＥＧ２−ＴＳをそのままハードディスクに蓄積し、これを伝送する場合はどうなるのか。図２のチューナ１０１とＶＲ変換部１０２の間から入力して伝送すればよい。
【００３２】
（５）本発明は、上記に示す方法であるとしてもよい。また、これらの方法をコンピュータにより実現するコンピュータプログラムであるとしてもよいし、前記コンピュータプログラムからなるデジタル信号であるとしてもよい。また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。また、本発明は、前記コンピュータプログラム又は前記デジタル信号を、電気通信回線、無線又は有線通信回線、インターネットを代表とするネットワーク、データ放送等を経由して伝送するものとしてもよい。また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。また、前記プログラム又は前記デジタル信号を前記記録媒体に記録して移送することにより、又は前記プログラム又は前記デジタル信号を、前記ネットワーク等を経由して移送することにより、独立した他のコンピュータシステムにより実施するとしてもよい。また、本発明は、実施の形態におけるチューナ付きサーバ装置、ＴＶ、記録装置それぞれの一部またはすべてが集積回路であるＬＳＩとして実現される場合も含まれる。これらは個別に１チップ化されてもよいし、一部またはすべてを含むように１チップ化されてもよい。ここではＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路または汎用プロセッサで実現してもよい。ＬＳＩ製造後にプログラムすることが可能なＦＰＧＡやＬＳＩ内部の回路セルの接続や設定を再構成可能なリコンフィギュラブル・プロセッサを利用してもよい。更には、半導体技術の進歩または派生する別技術によりＬＳＩに置き換わる集積回路化の技術が登場すれば、当然その技術を用いて機能ブロックの集積化を行ってもよい。バイオ技術の適用などが可能性としてありうる。
【００３３】
（６）上記実施の形態及び上記変形例をそれぞれ組み合わせるとしてもよい。
【産業上の利用可能性】
【００３４】
本発明の伝送方法および伝送装置は、放送からと蓄積メディアからの著作権保護コンテンツを、伝送路上を用いて伝送する場合に利用される。
【図面の簡単な説明】
【００３５】
【図１】本発明の第１の実施の形態に対応する伝送システムの構成を示す。
【図２】サーバ装置の構成を示すブロック図である。
【図３】ＲＤＩパックのフォーマットを示す図である。
【図４】ＲＤＩパックへの追加ＣＣＩの配置を示す図である。
【図５】ＴＶの構成を示すブロック図である。
【図６】記録装置の構成を示すブロック図である。
【符号の説明】
【００３６】
１    伝送システム
１００    サーバ装置
１０１    チューナ
１０２    ＶＲ変換部
１０３    著作権保護情報生成部
１０４    著作権保護情報格納部
１０５    送信部
２００    ＴＶ
２０１    受信部
２０２    著作権保護情報取得部
２０３    表示部
３００    記録装置
３０１    受信部
３０２    著作権保護情報取得部
３０３    記録部
【図１】
2007028166.tif 000003
【図２】
2007028166.tif 000004
【図３】
2007028166.tif 000005
【図４】
2007028166.tif 000006
【図５】
2007028166.tif 000007
【図６】
2007028166.tif 000008